(57)【特許請求の範囲】
【請求項１】
負極及び正極が分離膜を境界として交互に積層された電極組立体であって、
前記電極組立体は同じ面積を有する電極が分離膜を境界として積層された電極積層体がＮ（Ｎ＝２以上の自然数）個積層され、且つ隣接する電極積層体間で電極の面積が相違し、
最下端に配置される第１の電極積層体は奇数個の電極が組み合わせられる第１のユニットセル及び第２のユニットセルが交互に積層された電極積層体であり、
前記第１のユニットセルをなす電極及び分離膜の配列構造と、前記第２のユニットセルをなす電極及び分離膜の配列構造とは相違し、
前記第１の電極積層体上には偶数個の電極が組み合わせられた第３のユニットセルが積層された電極積層体が複数個配置され、
前記電極積層体のそれぞれは、相違する極性の電極が分離膜を境界として対面し、且つ対面する電極のうち面積の大きい電極が負極である、電極組立体。
【請求項２】
前記第１の電極積層体の電極の面積が最も大きく、これに隣接する電極積層体と対面する電極が負極である、請求項１に記載の電極組立体。
【請求項３】
前記第１のユニットセルは、負極／分離膜／正極／分離膜／負極であり、前記第２のユニットセルは、正極／分離膜／負極／分離膜／正極の構造である、請求項１または２に記載の電極組立体。
【請求項４】
前記第１のユニットセル、前記第２のユニットセルおよび前記第３のユニットセルは、スタック型、スタックアンドフォールディング型、又はラミネーションアンドスタック型である、請求項３に記載の電極組立体。
【請求項５】
前記第３のユニットセルは、負極／分離膜／正極の構造を含むものである、請求項１から４のいずれか一項に記載の電極組立体。
【請求項６】
前記偶数個の電極が組み合わせられたユニットセルは、スタック型、スタックアンドフォールディング型又はラミネーションアンドスタック型である、請求項５に記載の電極組立体。
【請求項７】
前記電極組立体は、スタック型、スタックアンドフォールディング型又はこれらの組み合わせによって組み立てられる、請求項１から６のいずれか一項に記載の電極組立体。
【請求項８】
前記電極組立体は、両面の最外郭電極が負極である、請求項１から７のいずれか一項に記載の電極組立体。
【請求項９】
前記最外郭電極の少なくとも一つは片面コーティング電極である、請求項８に記載の電極組立体。
【請求項１０】
前記第３のユニットセルが積層された複数の前記電極積層体は、第２電極積層体および第３電極積層体を含み、
前記第２電極積層体は前記第３電極積層体の上に設けられ、
前記第３電極積層体の電極の面積は、前記第２電極積層体の電極の面積よりも小さい、請求項１から９のいずれか一項に記載の電極組立体。
【請求項１１】
前記ラミネーションアンドスタック型である前記第１のユニットセル、前記第２のユニットセルおよび前記第３のユニットセルの両面にそれぞれ設けられる分離膜をさらに有する、請求項４または６に記載の電極組立体。
【請求項１２】
前記ラミネーションアンドスタック型である前記第１のユニットセル、前記第２のユニットセルおよび前記第３のユニットセルをそれぞれ固定する固定部材をさらに有する、請求項１１に記載の電極組立体。
【請求項１３】
請求項１から１２のいずれか一項に記載の電極組立体を含む、二次電池。
【請求項１４】
前記電極組立体は、電池ケースに内蔵されている、請求項１３に記載の二次電池。
【請求項１５】
前記電池ケースはポーチ型又は角型のケースである、請求項１４に記載の二次電池。
【請求項１６】
前記二次電池はリチウムイオン二次電池又はリチウムイオンポリマー二次電池である、請求項１３から１５のいずれか一項に記載の二次電池。
【請求項１７】
請求項１３から１６のいずれか一項に記載の二次電池を二つ以上含む、電池パック。
【請求項１８】
請求項１３から１６のいずれか一項に記載の二次電池を一つ以上含む、デバイス。
【請求項１９】
前記デバイスは、携帯電話、携帯用コンピュータ、スマートフォン、スマートパッド、ネットブック、ＬＥＶ（Ｌｉｇｈｔ  Ｅｌｅｃｔｒｏｎｉｃ  Ｖｅｈｉｃｌｅ）、電気自動車、ハイブリッド電気自動車、プラグインハイブリッド電気自動車又は電力貯蔵装置である、請求項１８に記載のデバイス。
【発明の詳細な説明】
【技術分野】
【０００１】
本発明は、電極組立体に関し、より具体的には、厚さ方向への形状自由度に優れた電極組立体に関する。
【０００２】
また、本発明は、上記電極組立体を含む二次電池、電池パック及びデバイスに関する。
【背景技術】
【０００３】
モバイル機器への技術開発と需要が増加するにつれ、二次電池の需要も急激に増加しており、その中でもエネルギー密度と作動電圧が高くて保存と寿命特性に優れたリチウム二次電池が各種のモバイル機器はもちろん多様な電子製品のエネルギー源として広く用いられている。
【０００４】
一般に、リチウムイオン二次電池は、電池ケースの内部に電極組立体と電解質を密封する構造で形成される。この際、上記電極組立体は負極、多孔質分離膜、正極を平面に対して垂直な方向に積層して製造され、高容量の電池を得るために上記ユニットセルの積層数が次第に増大している。
【０００５】
最近、新たな形態のデバイスが製造され、また、デバイスのデザインが多様になるにつれ、新たな形態のバッテリーのデザインが求められており、このような多様な要求に適うバッテリーのデザインを具現する必要性が増大している。
【発明の概要】
【発明が解決しようとする課題】
【０００６】
本発明の目的は、面積の相違する二つ以上の電極積層体が積層されて段差を有する電極組立体であって、界面で極性の相違する電極が対面するようにすることにより電池容量の増大を図り、また、大面積電極が負極となるように設計することにより電池安全性を図ると共に厚さ方向への形状自由度に優れた電極組立体を提供することである。
【課題を解決するための手段】
【０００７】
本発明は、高さ方向への形状自由度に優れた電極組立体に関し、負極及び正極が分離膜を境界として交互に積層された電極組立体であって、上記電極組立体は同じ面積を有する電極が分離膜を境界として積層された電極積層体がＮ（Ｎ＝２以上の自然数）個積層され、且つ隣接する電極積層体間で電極の面積が相違し、最下端に配置される第１の電極積層体は奇数個の電極が組み合わせられる構造を有する第１のユニットセル及び第２のユニットセルが交互に積層された電極積層体であり、第１のユニットセルをなす電極及び分離膜の配列構造と、第２のユニットセルをなす電極及び分離膜の配列構造とは相違し、上記第１の電極積層体上には偶数個の電極が組み合わせられた第３のユニットセルが積層された電極積層体が複数個配置され、電極積層体のそれぞれは、相違する極性の電極が分離膜を境界として対面し、且つ対面する電極のうち面積の大きい電極が負極である電極組立体を提供する。
【０００８】
上記それぞれの電極積層体は、相違する極性の電極が分離膜を境界として対面し、且つ対面する電極のうち面積の大きい電極が負極であることが好ましい。
【０００９】
上記第１の電極積層体は、最下端又は最上端に位置する電極積層体であれば良い。
【００１０】
上記第１の電極積層体の電極の面積が最も大きく、これに隣接する電極積層体と対面する電極が負極であれば良い。
【００１１】
また、上記第１の電極積層体のユニットセルは、負極／分離膜／正極／分離膜／負極及び正極／分離膜／負極／分離膜／正極の構造を含むユニットセルから選択される一つ又はこれらの組み合わせであれば良く、上記ユニットセルは、スタック型、スタックアンドフォールディング型、又はラミネーションアンドスタック型であれば良い。
【００１２】
一方、上記偶数個の電極が組み合わせられたユニットセルは、負極／分離膜／正極の構造を含むものであれば良く、スタック型、スタックアンドフォールディング型又はラミネーションアンドスタック型であれば良い。
【００１３】
本発明の電極組立体は、スタック型、スタックアンドフォールディング型又はこれらの組み合わせによって組み立てられることができる。
【００１４】
この際、上記電極組立体は、両面の最外郭電極が独立してそれぞれ負極又は正極であることが好ましく、上記最外郭電極の少なくとも一つは片面コーティング電極であれば良い。
【００１５】
本発明は、上記電極組立体を含む二次電池を提供する。
【００１６】
この際、上記電極組立体は電池ケースに内蔵されており、上記電池ケースはポーチ型又は角型であれば良い。
【００１７】
また、上記二次電池は、リチウムイオン二次電池又はリチウムイオンポリマー二次電池であれば良い。
【００１８】
また、本発明は、上記二次電池を二つ以上含む電池パックを提供し、また、上記二次電池を一つ以上含むデバイスを提供する。
【００１９】
この際、上記デバイスは、携帯電話、携帯用コンピュータ、スマートフォン、スマートパッド、ネットブック、ＬＥＶ（Ｌｉｇｈｔ  Ｅｌｅｃｔｒｏｎｉｃ  Ｖｅｈｉｃｌｅ）、電気自動車、ハイブリッド電気自動車、プラグインハイブリッド電気自動車又は電力貯蔵装置であれば良い。
【発明の効果】
【００２０】
本発明によれば、１番目の段を奇数個の電極が組み合わせられたユニットセルを用いて形成し、その上の段を偶数個の電極が組み合わせられたユニットセルを用いて形成することにより、全ての電極積層体を奇数個の電極が組み合わせられたユニットセルを用いて組み立てた電極組立体に比べて積層方向に所望の厚さを有する電極組立体を自由に具現することができる。
【００２１】
これにより、バッテリーが適用される所によって所望の高さのバッテリーをより自由に形成することができる。
【００２２】
また、各段差を形成する界面でも電池反応を図ることができるため、電池容量を増大させることができ、また、電池安全性を向上させることができる。
【図面の簡単な説明】
【００２３】
【図１】奇数個の電極が組み合わせられた第１及び第２のユニットセルを用いて組み立てられた段差を有する電極組立体の一例を示す断面図である。
【図２】奇数個の電極が組み合わせられた第１及び第２のユニットセルを用いて組み立てられた段差を有する電極組立体の他の例を示す断面図である。
【図３】奇数個の電極が組み合わせられた第１及び第２のユニットセルを用いて組み立てられた段差を有する電極組立体のさらに他の例を示す断面図である。
【図４】奇数個の電極が組み合わせられた第１及び第２のユニットセルと偶数個の電極が組み合わせられた第３のユニットセルを用いて組み立てられた電極組立体の一例を示す断面図である。
【図５】ラミネートアンドスタック型ユニットセルの例示的な具現例を示す図である。
【図６】ラミネートアンドスタック型ユニットセルに固定部材を適用した例示的な具現例を示す図である。
【発明を実施するための形態】
【００２４】
本発明者らは、電池の安全性向上及び電池容量の増大を具現すると共に厚さ方向への形状自由度を有する電極組立体を提供するために研究を重ねた結果、従来の奇数個の電極が組み合わせられたユニットセルを用いて電極組立体を組み立てることに代えて、奇数個の電極が組み合わせられたユニットセルと偶数個の電極が組み合わせられたユニットセルを適切に組み合わせることにより、デバイスに求められる通りに平面に対して垂直な方向に多様な厚さを有する電極組立体をより容易に形成することができることを見い出し、本発明を完成するに至った。
【００２５】
以下、図面を参照して本発明をより具体的に説明する。図１〜４は、電極組立体の組み立てに用いられるユニットセルによる電極組立体の一例を示すものである。
【００２６】
本発明による電極組立体１００は、同じ面積を有する電極１１、１３が分離膜１５を境界として積層された電極積層体３１、３３がＮ（Ｎ＝２以上の自然数）個積層され、且つ隣接する電極積層体３１、３３間で電極１１、１３の面積が相違し、第１の電極積層体は奇数個の電極が組み合わせられたユニットセル２１、２３が積層された電極積層体３１であり、上記第１の電極積層体３１上に積層される電極積層体は偶数個の電極が組み合わせられたユニットセル２５が積層された電極積層体３３である。
【００２７】
本発明において、上記電極組立体１００は、負極１１と正極１３が分離膜１５を境界として交互に積層されているものである。本発明では、分離膜１５について別に記載されていなくても、負極１１と正極１３の間に分離膜１５が介在されて負極１１と正極１３が隔離していることを示す。
【００２８】
本発明において、上記電極組立体１００の最下端に配置される第１の電極積層体３１は、各電極１１、１３の間に分離膜１５が介在され、且つ奇数個の電極が組み合わせられたユニットセル、例えば、一つの負極１１と上記負極１１の両面に正極１３が配置されて負極／分離膜／正極／分離膜／負極の構造を有する第１のユニットセル２１又は一つの正極１３と上記正極１３の両面に負極１１が配置されて正極／分離膜／負極／分離膜／正極の構造を有する第２のユニットセル２３を用いることができる。また、上記ユニットセル一つのみで電極積層体を構成することもでき、上記第１のユニットセルと第２のユニットセルを負極１１と正極１３が交互に配置されるように積層して電極積層体を構成することもできる。
【００２９】
本発明の電極組立体１００の最外郭電極となる電極は、特に限定されず、負極１１でも良く、正極１３でも良い。図４には負極が最外郭電極であることが示されているが、これに限定されない。上記本発明の電極組立体１００の最外郭に配置される電極のうち一つを含む上記第１の電極積層体３１は、最外郭電極として負極１１又は正極１３が配置されても良く、負極１１と正極１３がそれぞれ配置されても良い。これらの最外郭電極は、一面のみに電極活物質がコーティングされ、他の面は電極活物質がコーティングされていない無地部である片面コーティング電極でも良い。この際、上記片面コーティング電極は、上記無地部が電極組立体１００の最外郭面を形成するように配置されることができる。また、上記無地部の外部面には分離膜１５が積層されることができる。
【００３０】
例えば、上記第１の電極積層体３１は、上記第１及び第２のユニットセル２１、２３を奇数個用いて構成されることができる。例えば、第１のユニットセル２１／第２のユニットセル２３／第１のユニットセル２１の順に積層されることができる。この際、両面の最外郭電極が負極１１である電極積層体が得られる。図４に示されているように、第２の電極積層体３３が積層される面の最外郭電極として負極１１が配置されるように積層することにより、正極１３からリチウムが析出されて電池安全性を悪化させることを抑制することができる。
【００３１】
一方、第２のユニットセル２１／第１のユニットセル２３／第２のユニットセル２１の順に積層することにより、両面の最外郭電極が正極１３である電極積層体が得られる。第２の電極積層体３３が積層される面の最外郭電極が正極１３の場合は正極１３からリチウムが析出されて電池安全性に悪影響を及ぼす可能性があるが、上記第２の電極積層体３３が積層されて対面する領域のみに正極１３活物質をコーティングし、第２の電極積層体３３と対面しない領域は正極１３活物質をコーティングしなかった無地部として残すことにより、リチウム析出の問題を解決することができる。
【００３２】
また、上記第１の電極積層体３１は、第１及び第２のユニットセル２１、２３を偶数個用いて構成されることもできる。この際、上記第１の電極積層体３１は、一面の最外郭電極が負極１１であり、他面の最外郭電極が正極１３である。この際、第２の電極積層体３３と対面する対面電極が負極１１となるように配置することが好ましい。正極１３が配置される場合は、上記のように一部を無地部で形成することができる。一方、他の最外郭電極が正極１３の場合は、片面コーティング正極１３でも良く、負極１１の場合は、両面コーティング負極でも良く、片面コーティング負極でも良い。
【００３３】
一方、上記第１の電極積層体３１の一面上には分離膜を境界として第２の電極積層体３３が積層され、上記第２の電極積層体３３上には分離膜を境界として第３の電極積層体３５が積層され、このような形でＮ（Ｎは自然数）個の電極積層体３１、３３、３５が積層された電極組立体１００が得られる。この際、第Ｍ（ＭはＮより小さい自然数）の電極積層体３１、３３と上記第Ｍの電極積層体に隣接して積層される第（Ｍ＋１）の電極積層体３５の間には、それぞれの電極積層体３３、３５が対面するそれぞれの最外郭電極（対面電極）の極性の相違する電極が配置されることが好ましい。これにより、段差を形成する界面でも電池反応を図ることができるため、電池容量の増大の効果が得られる。
【００３４】
より好ましくは、上記第Ｍの電極積層体３１、３３とこれに隣接して積層される第（Ｍ＋１）の電極積層体３５が対面する対面電極においては、面積の大きい対面電極が負極１１であることが好ましい。これにより、正極１３からリチウムが析出されることを防止することができるため、電池安全性を図ることができる。
【００３５】
上記電極組立体１００は、両面に同一の電極が配置され、上記同一の電極の間に極性の相違する電極が配置された上記第１のユニットセル及び第２のユニットセル２１、２３を複数個組み合わせて積層することにより組み立てられることができる。特に、段差を有する電極組立体１００を組み立てるにあたり、同じ面積を有する第１及び第２のユニットセル２１、２３が複数個積層された第１の電極積層体３１上に、上記第１の電極積層体３１の電極の面積より小さく且つ相互同じ面積を有する電極が組み合わせられた第１及び第２のユニットセル２１、２３を積層して組み立てられた第２の電極積層体３３を分離膜１５を境界として積層することにより、平面に対して垂直な方向に向かって面積が小さくなる形状の段差を有する電極組立体１００を組み立てることができる。
【００３６】
しかしながら、上記のように段差を有する電極組立体１００を組み立てる場合は、例えば、図１に示されているように段差が形成される界面で隣接する電極積層体間で同じ極性を有する電極が対面してしまい、電池の充放電反応を図ることができなくなるため、相対的に電池容量の損失をもたらす可能性がある。
【００３７】
一方、第１及び第２のユニットセル２１、２３を用いてそれぞれの電極積層体を組み立て、それぞれの電極積層体を用いて段差を有する電極組立体１００を組み立てる場合は、例えば、図２に示されているような電極組立体１００が得られる。しかしながら、このような電極組立体１００は、段差が形成される界面における大面積電極として正極１３が位置する可能性がある。よって、電池の充放電反応中に正極活物質のリチウムが析出されて電池安全性に悪影響を及ぼす可能性がある。
【００３８】
また、例えば、図３に示されているように第１及び第２のユニットセル２１、２３を用い且つ界面における大面積電極として負極が位置するようにする場合は、第１の電極積層体３１上に積層される２番目の段以上の電極積層体３３、３５として必ず偶数個のユニットセルが積層された電極積層体を用いることが求められる。したがって、デバイスの形状によって最下端の第１の電極積層体３１上に積層される２段以上の電極積層体３３、３５を偶数個のユニットセルを用いて形成することができない場合には適切に対応することができないため、厚さ方向への形状自由度が顕著に阻害する可能性がある。
【００３９】
よって、本発明は、上記第１の電極積層体３１上に積層される第２から第Ｎの電極積層体３３、３５を、偶数個の電極が組み合わせられたユニットセル、即ち、一つの負極１１と一つの正極１３が積層された第３のユニットセル２５を用いて形成することにより、電極組立体１００の全体にわたって負極１１と正極１３が分離膜１５を境界として交差積層され、段差が形成される界面で大面積電極として負極１１が配置されるようにし、且つ厚さ方向への形状自由度を高くしようとする。
【００４０】
したがって、奇数個の電極が組み合わせられた第１及び第２のユニットセル２１、２３を用いて第１の電極積層体３１を組み立てることにより電極積層体の組み立ての便宜性を図り、偶数個の電極が組み合わせられた第３のユニットセル２５を用いて上記第１の電極積層体３１上に積層される２番目以上の電極積層体３３、３５を組み立てることが好ましい。このようにすることで、デバイスに求められる形状によって第３のユニットセル２５の個数を調節して電極積層体３３、３５の厚さを調節することができるため、厚さ方向へのデザイン自由度を向上させることができる。
【００４１】
また、本発明のように第１の電極積層体３１を奇数個の電極が組み合わせられる第１及び第２のユニットセルを用いて組み立て、第２以上の電極積層体３３、３５を偶数個の電極が組み合わせられた第３のユニットセル２５を用いて組み立てることにより、段差を形成する界面で大面積電極として負極１１が配置されるように容易に設計することができるため、電池安全性を図ることができ、また、界面でも電池反応を図ることができるため、電池容量を増大させることができる。
【００４２】
本発明によって得られる電極組立体１００の形状は特に限定されず、第１の電極積層体３１を構成する電極の面積を最も大きく設計することができる。即ち、図４に示されているように、平面に対して垂直な方向に向かって電極積層体を構成する電極の面積が小さくなるように積層することができる。逆に、平面に対して垂直な方向に向かって電極積層体の電極の面積が大きくなるように積層することにより、第Ｎの電極積層体の対面電極を最も大きく設計することもできる。
【００４３】
本発明において、各電極積層体３１、３３、３５を組み立てるのに用いられる第１から第３のユニットセル２１、２３、２５は、それぞれの電極が分離膜１５を境界として順次積層されるスタック型であれば良い。
【００４４】
また、ラミネートアンドスタック型（ｌａｍｉｎａｔｅ  ａｎｄ  ｓｔａｃｋ  ｔｙｐｅ）のユニットセルでも良い。上記ラミネートアンドスタック型ユニットセルは、複数の電極と複数の分離膜を用いて形成されたものであって、それぞれの電極の間に分離膜を介在し、上面及び下面の少なくとも一面に分離膜を積層した後に加圧して形成されたものである。このようなラミネートアンドスタック型ユニットセルは、例えば、分離膜／正極／分離膜／負極又は正極／分離膜／負極／分離膜のようにユニットセルの最外郭面のうち一面に分離膜が積層された構造を有するものでも良く、分離膜／正極／分離膜／負極／分離膜のようにユニットセルの両面に分離膜が積層された構造を有するものでも良い。上記ラミネートアンドスタック型ユニットセルは、スタック型ユニットセルとは異なり、それぞれの電極と分離膜が接着されて電極の積層構造をより安定的に維持することができる。
【００４５】
このようなラミネートアンドスタック型ユニットセルの一部の具現例を図５に示した。図５（ａ）は電極と分離膜の数が同じ場合を示し、図５（ｂ）はユニットセルの両面に分離膜が積層された形態を示すものである。図には上記ラミネートアンドスタック型ユニットセルの例が示されているが、これに限定されず、必要に応じて、電極及び分離膜の数は変わっても良い。
【００４６】
上記ラミネートアンドスタック型ユニットセルには、積層構造をより安定化させるためにテーピング等のような固定部材を適用することができる。例えば、図６の（ａ）に示されているように上記ラミネートアンドスタック型ユニットセルの全面にテーピング等のような固定部材Ｔ１を用いて固定させても良く、図６の（ｂ）に示されているように上記ラミネートアンドスタック型ユニットセルの側面のみに固定部材Ｔ２を用いて固定させても良い。
【００４７】
また、一方向に長さの長い長方形の分離膜上に負極及び正極を配列し、電極のサイズによって分離膜をその上に配列された電極と共にフォールディングして積層するスタックアンドフォールディング型（一方向にフォールディングされたワインディング型又はジグザグ方向にフォールディングされたＺ‐フォールディング型）でも良い。また、特に限定されず、これらのいずれか一つの型を用いても良く、これらを組み合わせて用いても良い。
【００４８】
上述したように、Ｎ個の電極積層体が積層された電極組立体１００を組み立てるにあたり、奇数個の電極が組み合わせられた第１及び第２のユニットセル２１、２３を用いて最下端の電極積層体（第１の電極積層体３１）を構成し、偶数個の電極が組み合わせられた第３のユニットセル２５を用いて第２の段以上の電極積層体（第２から第Ｎの電極積層体）を構成することにより、厚さ方向への形状自由度を向上させることができるため、デバイスに求められる形状に適う電極組立体１００が得られる。
【００４９】
また、本発明による電極組立体１００は、特に限定されず、上記電極積層体３１、３３、３５を高さ方向に順次積層して組み立てられたスタック型電極組立体１００でも良く、上記電極積層体３１、３３、３５を一つの長方形の分離膜上に配列してフォールディングすることにより形成されたスタックアンドフォールディング型電極組立体３１、３３、３５でも良い。この際、スタックアンドフォールディング型は、一方向にフォールディングしたワインディング型でも良く、ジグザグ方向にフォールディングしたＺフォールディング型でも良い。
【００５０】
また、それぞれの電極積層体３１、３３、３５を形成する第１及び第２のユニットセル２１、２３及び第３のユニットセル２５を一つの長方形の分離膜上に配列した後にフォールディングすることにより、本発明の段差を有する電極組立体１００を組み立てることもできる。
【００５１】
本発明による電極組立体１００を用いることにより、リチウムイオン二次電池又はリチウムイオンポリマー二次電池を製造することができる。この際、上記電極組立体１００は電池ケースに内蔵されることができ、上記電池ケースはポーチ型又は角型であれば良い。
【００５２】
また、本発明の電極組立体１００を含む電池セルを二つ以上含む電池パックを得ることができ、さらに、上記電池セルを一つ以上含むデバイスを得ることができる。上記デバイスは、携帯電話、携帯用コンピュータ、スマートフォン、スマートパッド、ネットブック、ＬＥＶ（Ｌｉｇｈｔ  Ｅｌｅｃｔｒｏｎｉｃ  Ｖｅｈｉｃｌｅ）、電気自動車、ハイブリッド電気自動車、プラグインハイブリッド電気自動車又は電力貯蔵装置であれば良い。
なお、本願明細書に記載の実施形態によれば、以下の構成もまた開示される。
［項目１］
負極及び正極が分離膜を境界として交互に積層された電極組立体であって、
前記電極組立体は同じ面積を有する電極が分離膜を境界として積層された電極積層体がＮ（Ｎ＝２以上の自然数）個積層され、且つ隣接する電極積層体間で電極の面積が相違し、第１の電極積層体は奇数個の電極が組み合わせられたユニットセルが積層された電極積層体であり、前記第１の電極積層体上に積層される電極積層体は偶数個の電極が組み合わせられたユニットセルが積層された電極積層体である、電極組立体。
［項目２］
前記電極積層体のそれぞれは、相違する極性の電極が分離膜を境界として対面し、且つ対面する電極のうち面積の大きい電極が負極である、項目１に記載の電極組立体。
［項目３］
前記第１の電極積層体は、最下端又は最上端に位置する電極積層体である、項目１または２に記載の電極組立体。
［項目４］
前記第１の電極積層体の電極の面積が最も大きく、これに隣接する電極積層体と対面する電極が負極である、項目３に記載の電極組立体。
［項目５］
前記第１の電極積層体のユニットセルは、負極／分離膜／正極／分離膜／負極及び正極／分離膜／負極／分離膜／正極の構造を含むユニットセルから選択される一つ又はこれらの組み合わせである、項目１から４のいずれか一項に記載の電極組立体。
［項目６］
前記ユニットセルは、スタック型、スタックアンドフォールディング型、又はラミネーションアンドスタック型である、項目５に記載の電極組立体。
［項目７］
前記偶数個の電極が組み合わせられたユニットセルは、負極／分離膜／正極の構造を含むものである、項目１から６のいずれか一項に記載の電極組立体。
［項目８］
前記偶数個の電極が組み合わせられたユニットセルは、スタック型、スタックアンドフォールディング型又はラミネーションアンドスタック型である、項目７に記載の電極組立体。
［項目９］
前記電極組立体は、スタック型、スタックアンドフォールディング型又はこれらの組み合わせによって組み立てられる、項目１から８のいずれか一項に記載の電極組立体。
［項目１０］
前記電極組立体は、両面の最外郭電極が独立してそれぞれ負極又は正極である、項目１から９のいずれか一項に記載の電極組立体。
［項目１１］
前記最外郭電極の少なくとも一つは片面コーティング電極である、項目１０に記載の電極組立体。
［項目１２］
項目１から１１のいずれか一項に記載の電極組立体を含む、二次電池。
［項目１３］
前記電極組立体は、電池ケースに内蔵されている、項目１２に記載の二次電池。
［項目１４］
前記電池ケースはポーチ型又は角型のケースである、項目１３に記載の二次電池。
［項目１５］
前記二次電池はリチウムイオン二次電池又はリチウムイオンポリマー二次電池である、項目１２から１４のいずれか一項に記載の二次電池。
［項目１６］
項目１２から１５のいずれか一項に記載の二次電池を二つ以上含む、電池パック。
［項目１７］
項目１２から１５のいずれか一項に記載の二次電池を一つ以上含む、デバイス。
［項目１８］
前記デバイスは、携帯電話、携帯用コンピュータ、スマートフォン、スマートパッド、ネットブック、ＬＥＶ（Ｌｉｇｈｔ  Ｅｌｅｃｔｒｏｎｉｃ  Ｖｅｈｉｃｌｅ）、電気自動車、ハイブリッド電気自動車、プラグインハイブリッド電気自動車又は電力貯蔵装置である、項目１７に記載のデバイス。
【符号の説明】
【００５３】
１００  電極組立体
１１  負極
１３  正極
１５  分離膜
２１  第１のユニットセル
２３  第２のユニットセル
２５  第３のユニットセル
３１  第１の電極積層体
３３  第２の電極積層体
３５  第３の電極積層体
Ｔ１、Ｔ２  固定部材
【図１】
0005845532.tif 000002
【図２】
0005845532.tif 000003
【図３】
0005845532.tif 000004
【図４】
0005845532.tif 000005
【図５（ａ）】
0005845532.tif 000006
【図５（ｂ）】
0005845532.tif 000007
【図６（ａ）】
0005845532.tif 000008
【図６（ｂ）】
0005845532.tif 000009